(57)【要約】【課題】記録媒体に形成された画像を示す画像情報から原色による画像を示す画像情報を容易に抽出することができる画像処理装置及び画像形成装置を得る。【解決手段】撮像素子３０により、磁性を有する記録材料を用いて特色及び原色の何れか一方による画像が形成されると共に、磁性を有しない記録材料を用いて特色及び原色の他方による画像が形成された記録媒体から全ての画像を読み取り、読み取った画像を示す画像情報を取得し、記録媒体から磁性を有する記録材料を用いて形成されている磁性画像領域を当該記録材料の磁気に基づいて磁性領域検出部２８により検出し、検出した磁性画像領域に基づいて、撮像素子３０によって取得された画像情報から原色による画像を示す画像情報を抽出する。【選択図】図１
2009200780.tif 000002
【特許請求の範囲】
【請求項１】
磁性を有する記録材料を用いて特色及び原色の何れか一方による画像が形成されると共に、磁性を有しない記録材料を用いて前記特色及び前記原色の他方による画像が形成された記録媒体から全ての前記画像を読み取り、読み取った画像を示す画像情報を取得する取得手段と、
前記記録媒体から前記磁性を有する記録材料を用いて形成されている磁性画像領域を当該記録材料の磁気に基づいて検出する検出手段と、
前記検出手段によって検出された前記磁性画像領域に基づいて、前記取得手段によって取得された前記画像情報から前記原色による画像を示す原色画像情報を抽出する抽出手段と、
を備えた画像処理装置。
【請求項２】
前記検出手段は、前記記録媒体から前記磁性画像領域を検出する前に、当該記録媒体における前記磁性を有する記録材料を磁化させることを特徴とする請求項１記載の画像処理装置。
【請求項３】
前記抽出手段は、前記磁性を有する記録材料が前記特色による画像を形成する記録材料であり、前記磁性を有しない記録材料が前記原色による画像を形成する記録材料である場合に、前記取得手段によって取得された画像情報における前記磁性画像領域に対応する画像情報を除く画像情報を前記原色画像情報として抽出し、前記磁性を有する記録材料が前記原色による画像を形成する記録材料であり、前記磁性を有しない記録材料が前記特色による画像を形成する記録材料である場合に、前記取得手段によって取得された画像情報における前記磁性画像領域に対応する画像情報を前記原色画像情報として抽出することを特徴とする請求項１又は請求項２記載の画像処理装置。
【請求項４】
請求項１〜請求項３の何れか１項に記載の画像処理装置と、
特色による画像を第２の記録媒体に形成する第１の画像形成手段と、
原色による画像を前記第２の記録媒体に形成する第２の画像形成手段と、
前記第２の記録媒体に対して、前記画像処理装置の前記取得手段によって取得された前記画像情報における前記画像処理装置の前記抽出手段によって抽出された前記原色画像情報を除く画像情報により示される画像を前記第１の画像形成手段によって形成し、前記原色画像情報により示される画像を前記第２の画像形成手段によって形成するように制御を行う制御手段と、
を備えた画像形成装置。
【請求項５】
前記第１の画像形成手段及び前記第２の画像形成手段の何れか一方によって磁性を有する記録材料を用いた画像の形成を行い、他方によって磁性を有しない記録材料を用いた画像の形成を行うことを特徴とする請求項４記載の画像形成装置。
【発明の詳細な説明】
【技術分野】
【０００１】
本発明は、画像処理装置及び画像形成装置に関する。
【背景技術】
【０００２】
画像処理システムに関する技術として、特許文献１には、ガマットを３つの有彩色のプロセスカラーにより定められる複数のサブガマットに分割し、デジタル多色画像のピクセル毎に、複数のサブガマットのうち対応するするサブガマットを選択し、当該ピクセル毎に非白色の無彩色プロセスカラーまたは青色を追加するか否かを判定することで、モアレ模様の発生を制限しつつ、多色画像を再現する技術が開示されている。
【特許文献１】特開２００５−２５３０６８号公報
【発明の開示】
【発明が解決しようとする課題】
【０００３】
本発明は、記録媒体に形成された画像を示す画像情報から原色による画像を示す画像情報を容易に抽出することができる画像処理装置及び画像形成装置を提供することを目的とする。
【課題を解決するための手段】
【０００４】
上記目的を達成するために、請求項１に記載の画像処理装置は、磁性を有する記録材料を用いて特色及び原色の何れか一方による画像が形成されると共に、磁性を有しない記録材料を用いて前記特色及び前記原色の他方による画像が形成された記録媒体から全ての前記画像を読み取り、読み取った画像を示す画像情報を取得する取得手段と、前記記録媒体から前記磁性を有する記録材料を用いて形成されている磁性画像領域を当該記録材料の磁気に基づいて検出する検出手段と、前記検出手段によって検出された前記磁性画像領域に基づいて、前記取得手段によって取得された前記画像情報から前記原色による画像を示す原色画像情報を抽出する抽出手段と、を備えている。
【０００５】
また、請求項２に記載の発明は、請求項１記載の発明において、前記検出手段が、前記記録媒体から前記磁性画像領域を検出する前に、当該記録媒体における前記磁性を有する記録材料を磁化させることを特徴とする。
【０００６】
また、請求項３に記載の発明は、請求項１又は請求項２記載の発明において、前記抽出手段が、前記磁性を有する記録材料が前記特色による画像を形成する記録材料であり、前記磁性を有しない記録材料が前記原色による画像を形成する記録材料である場合に、前記取得手段によって取得された画像情報における前記磁性画像領域に対応する画像情報を除く画像情報を前記原色画像情報として抽出し、前記磁性を有する記録材料が前記原色による画像を形成する記録材料であり、前記磁性を有しない記録材料が前記特色による画像を形成する記録材料である場合に、前記取得手段によって取得された画像情報における前記磁性画像領域に対応する画像情報を前記原色画像情報として抽出することを特徴とする。
【０００７】
一方、上記目的を達成するために、請求項４に記載の画像形成装置は、請求項１〜請求項３の何れか１項に記載の画像処理装置と、特色による画像を第２の記録媒体に形成する第１の画像形成手段と、原色による画像を前記第２の記録媒体に形成する第２の画像形成手段と、前記第２の記録媒体に対して、前記画像処理装置の前記取得手段によって取得された前記画像情報における前記画像処理装置の前記抽出手段によって抽出された前記原色画像情報を除く画像情報により示される画像を前記第１の画像形成手段によって形成し、前記原色画像情報により示される画像を前記第２の画像形成手段によって形成するように制御を行う制御手段と、を備えている。
【０００８】
また、請求項５に記載の発明は、請求項４記載の発明において、前記第１の画像形成手段及び前記第２の画像形成手段の何れか一方によって磁性を有する記録材料を用いた画像の形成を行い、他方によって磁性を有しない記録材料を用いた画像の形成を行うことを特徴とする。
【発明の効果】
【０００９】
請求項１、及び請求項４に記載の発明によれば、本発明を適用しない場合に比較して、より容易に記録媒体に形成された画像を示す画像情報から原色による画像を示す画像情報を抽出することができる、という優れた効果を有する。
【００１０】
また、請求項２に記載の発明によれば、本発明を適用しない場合に比較して、磁性画像領域の検出精度を高めることができる、という優れた効果を有する。
【００１１】
また、請求項３に記載の発明によれば、本発明を適用しない場合に比較して、より容易に記録媒体に形成された画像を示す画像情報から原色による画像を示す画像情報を抽出することができる、という優れた効果を有する。
【００１２】
更に、請求項５に記載の発明によれば、本発明に係る画像処理装置で対応している記録媒体を作成できる、という優れた効果を有する。
【発明を実施するための最良の形態】
【００１３】
以下、図面を参照して、本発明の実施の形態について詳細に説明する。なお、以下では、本発明をマグネトグラフィにより画像を現像する機能を有する画像形成装置に適用した場合について説明する。
【００１４】
［第１の実施の形態］
まず、図１を参照して、本実施の形態に係る画像形成装置１０の構成を説明する。
【００１５】
同図に示すように、画像形成装置１０は、原稿１２の表面に形成されている画像を読み取り、読み取った画像を示す画像情報を取得する画像読取部２０と、当該画像読取部２０の下方に設けられ、記録用紙４２に画像を形成する画像形成部４０とを含んで構成されている。
【００１６】
本実施の形態に係る原稿１２には、磁性を有する記録材料を用いて特色による画像が形成されると共に、磁性を有しない記録材料を用いて原色による画像が形成されている。なお、本実施の形態では記録材料をトナーとするが、これに限らず、記録材料をインクとしてもよい。また、以下、磁性を有する記録材料を「磁性トナー」とし、磁性を有しない記録材料を「非磁性トナー」として説明する。
【００１７】
本実施の形態に係る画像読取部２０は、手差しトレイ２２、搬送部２４、複数の搬送ローラ２６、磁性領域検出部２８、及び撮像素子３０を含んで構成されている。
【００１８】
手差しトレイ２２は、原稿１２を手差しで画像読取部２０へ挿入するためのものであり、画像読取部２０に挿入された原稿１２は搬送部２４に沿って配置されている搬送ローラ２６によって図１の矢印Ａ方向へ搬送される。
【００１９】
磁性領域検出部２８は磁気センサ２８Ａ及び磁化部２８Ｂを含んで構成されており、磁気センサ２８Ａの検出部が、原稿１２の画像が形成されている面に対向するように配置されている。
【００２０】
本実施の形態に係る磁気センサ２８Ａは、原稿１２から磁性トナーを用いて形成されている磁性画像領域を当該磁性トナーの磁気に基づいて検出する。なお、本実施の形態では磁気センサ２８Ａとして、磁界によって電気的抵抗が変化する素子であるＭＲ（Ｍａｇｎｅｔｏ  Ｒｅｓｉｓｔｉｖｅ）素子を、原稿１２の搬送方向に対して交差するように直線状に複数配列し、磁性画像領域の形状及び原稿１２における磁性画像領域の位置を検出する。なお、このように、本実施の形態では磁気センサ２８Ａとして複数のＭＲ素子を適用しているが、これに限らず、磁界を電気信号に変換して出力する複数のホール素子や、その他の磁気センサを適用してもよい。
【００２１】
また、本実施の形態に係る磁化部２８Ｂは、磁気センサ２８Ａよりも原稿１２の搬送方向上流側に配置されており、磁気センサ２８Ａが磁性画像領域を検出する前に、磁性トナーを磁化させる。より具体的には、磁化部２８Ｂが発生する磁界によって、磁性トナーに含まれる磁性体の極性の方向を揃えることで、磁性トナーを磁化させる。なお、本実施の形態では磁化部２８Ｂとして電磁石を適用しているが、これに限らず、例えば、永久磁石等の他の磁化手段を用いてもよい。
【００２２】
撮像素子３０は、磁性領域検出部２８よりも原稿１２の搬送方向下流側に、原稿１２の画像が形成されている面に撮像面が対向するように配置されており、原稿１２から全ての画像を読み取り、読み取った画像を示す画像情報を取得する。なお、本実施の形態では、撮像素子３０として、ＣＣＤ（Ｃｈａｒｇｅ  Ｃｏｕｐｌｅｄ  Ｄｅｖｉｃｅ）ラインセンサを適用するが、これに限らず、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の撮像素子を適用してもよい。
【００２３】
なお、撮像素子３０によって画像が読み取られた原稿１２は、さらに搬送部２４上を搬送ローラ２６によって搬送され、画像読取部２０から排出される。
【００２４】
一方、画像形成部４０は、光ビームによって形成された静電潜像を非磁性トナーを用いて現像する静電現像方式で、原色による画像を記録用紙４２に形成する静電現像部５０、及び磁気によって形成された磁気潜像を磁性トナーを用いて現像するマグネト現像（マグネトグラフィ）方式で、特色による画像を記録用紙４２に形成するマグネト現像部７０を備えている。
【００２５】
本実施の形態に係る静電現像部５０は、原色であるイエロー色（Ｙ）、マゼンタ色（Ｍ）、シアン色（Ｃ）、及びブラック色（Ｋ）毎に、感光体ドラム５２Ｙ、５２Ｍ、５２Ｃ、５２Ｋ、帯電ロール５４Ｙ、５４Ｍ、５４Ｃ、５４Ｋ、光走査装置５６Ｙ、５６Ｍ、５６Ｃ、５６Ｋ、現像器５８Ｙ、５８Ｍ、５８Ｃ、５８Ｋ、及び１次転写ロール６０Ｙ、６０Ｍ、６０Ｃ、６０Ｋを含んで構成されている。なお、以下の説明において、Ｙ、Ｍ、Ｃ、Ｋを区別する場合は、符号の後にＹ、Ｍ、Ｃ、Ｋのいずれかを付して説明し、Ｙ、Ｍ、Ｃ、Ｋを区別しない場合は、Ｙ、Ｍ、Ｃ、Ｋを省略する。
【００２６】
感光体ドラム５２は、円筒状であり、図１の矢印Ｂ方向へ所定の回転速度で回転駆動し、感光体ドラム５２に近接するように配置された帯電ロール５４によって表面が帯電される。
【００２７】
光走査装置５６は、感光体ドラム５２の上方に配置され、帯電ロール５４の配置位置よりも感光体ドラム５２の回転方向下流側において、形成対象とする画像を示す画像情報に基づいた光ビームを帯電された感光体ドラム５２の表面へ照射し、感光体ドラム５２の表面に静電潜像を形成する。
【００２８】
現像器５８は、光走査装置５６によって静電潜像が形成される位置よりも感光体ドラム５２の回転方向下流側に近接して配置され、感光体ドラム５２の表面に形成された静電潜像をそれぞれが受け持つ色の非磁性トナーを用いて現像し、非磁性トナー像を形成する。
【００２９】
１次転写ロール６０は、感光体ドラム５２の最下部で、自身と感光体ドラム５２とで中間転写ベルト６２を挟持するように配置され、感光体ドラム５２に形成された非磁性トナー像を中間転写ベルト６２に転写する。
【００３０】
中間転写ベルト６２は、無端ベルトであり、画像形成時に図１の矢印Ｃ方向に回転駆動（循環移動）し、感光体ドラム５２の表面に形成されているＹ、Ｍ、Ｃ、Ｋ各々の非磁性トナー像は、中間転写ベルト６２に重ねて転写され、中間転写ベルト６２上で１つの非磁性トナー像として形成される。
【００３１】
更に、本実施の形態に係る静電現像部５０は、二次転写器６４と定着器６６とを備えており、二次転写器６４は、中間転写ベルト６２上の感光体ドラム５２Ｙが配置されている位置より回転方向下流側に配置され、ローラ６４Ａ及びローラ６４Ｂで含んで構成されており、搬送されてくる記録用紙４２及び中間転写ベルト６２を、ローラ６４Ａ及びローラ６４Ｂで挟持し、記録用紙４２に電荷を加えることで、中間転写ベルト６２上に形成されている非磁性トナー像を、静電的に記録用紙４２に転写する。
【００３２】
なお、記録用紙４２は、給紙トレイ４４からピックアップロール４６によって一枚ずつ取り出され、搬送部４９上を搬送ローラ４８により図１の矢印Ｆ方向へ搬送される。
【００３３】
定着器６６は、二次転写器６４が配置されている位置よりも記録用紙４２の搬送方向下流側に配置されており、互いに対向配置された加圧ローラ６６Ａと加熱ローラ６６Ｂとを含んで構成されており、非磁性トナー像が転写されている記録用紙４２に対し、圧力及び熱を加えることで非磁性トナー像を記録用紙４２に定着させる。
【００３４】
一方、マグネト現像部７０は、定着器６６が配置されている位置よりも記録用紙４２の搬送方向下流側に配置されており、特色である金色（Ｇ）、及び銀色（Ｓ）の各色毎に、磁気ドラム７２Ｇ、７２Ｓ、磁気ヘッド７４Ｇ、７４Ｓ、現像器７６Ｇ、７６Ｓ、中間転写体７８Ｇ、７８Ｓ、消磁装置８０Ｇ、８０Ｓ、及び転写定着ローラ８２Ｇ、８２Ｓを含んで構成されている。なお、以下の説明において、Ｇ、Ｓを区別する場合は、符号の後にＧ、Ｓのいずれかを付して説明し、Ｇ、Ｓを区別しない場合は、Ｇ、Ｓを省略する。
【００３５】
磁気ドラム７２は、円筒状であり、図１の矢印Ｄ方向へ所定の回転速度で回転駆動する。
【００３６】
磁気ヘッド７４は、磁気ドラム７２の上方に配置され、磁気ドラム７２の側面上を走査しながら形成対象とする画像を示す画像情報に基づいた磁力線を磁気ドラム７２の表面に放射し、磁気ドラム７２の表面に磁気潜像を形成する。
【００３７】
現像器７６は、磁気ヘッド７４によって磁気潜像が形成される位置よりも磁気ドラム７２の回転方向下流側に近接して配置され、磁気ドラム７２上に形成された磁気潜像をそれぞれが受け持つ色の磁性トナーを用いて現像することにより、磁性トナー像を形成する。
【００３８】
消磁装置８０は、磁気ヘッド７４によって磁気潜像が形成される位置よりも磁気ドラム７２の回転方向上流側に配置され、磁気ドラム７２に形成された磁気潜像を消去する。
【００３９】
中間転写体７８は、磁気ドラム７２の最下部で接触するように配置されており、図１の矢印Ｅ方向へ回転しつつ、磁気ドラム７２に形成された磁性トナー像を自身に転写する。
【００４０】
転写定着ローラ８２は、自身と中間転写体７８とで記録用紙４２を挟持し、中間転写体７８上の磁性トナー像を記録用紙４２に密着させる。これによって記録用紙４２に当該磁性トナー像を転写、定着させる。
【００４１】
そして、静電現像部５０により非磁性トナーを用いて原色による画像が形成され、マグネト現像部７０により磁性トナーを用いて特色による画像が形成された記録用紙４２は、排紙トレイ８４に排紙される。
【００４２】
図２には、本実施の形態に係る画像形成装置１０の電気系の要部構成が示されている。
【００４３】
同図に示すように、画像形成装置１０は、ＣＰＵ（Ｃｅｎｔｒａｌ  Ｐｒｏｃｅｓｓｉｎｇ  Ｕｎｉｔ）９０、ＲＯＭ（Ｒｅａｄ  Ｏｎｌｙ  Ｍｅｍｏｒｙ）９１、ＲＡＭ（Ｒａｎｄｏｍ  Ａｃｃｅｓｓ  Ｍｅｍｏｒｙ）９２、ＨＤＤ（Ｈａｒｄ  Ｄｉｓｋ  Ｄｒｉｖｅ）９３、画像読取制御部９４、画像形成制御部９５、及び操作部９６を含んで構成され、ＣＰＵ９０、ＲＯＭ９１、ＲＡＭ９２、ＨＤＤ９３、画像読取制御部９４、画像形成制御部９５、及び操作部９６は、システムバス９７を介して相互に接続されている。
【００４４】
ＣＰＵ９０は画像形成装置１０全体の動作を司る。なお、本実施の形態に係るＣＰＵ９０は、画像読取部２０に原稿１２から磁性画像領域の検出及び画像の読み取りを実行させる場合には、当該実行を指示する画像読取実行信号を画像読取制御部９４へ送信し、画像形成部４０に記録用紙４２に対して所定の画像の形成を実行させる場合には、当該実行を指示する画像形成実行信号を画像形成制御部９５へ送信する。
【００４５】
ＲＯＭ９１は各種制御プログラムや各種パラメータ等が予め記憶されており、ＲＡＭ９２はＣＰＵ９０による各種制御プログラムの実行時のワークエリア等として用いられ、ＨＤＤ９３は記憶手段として機能し、画像読取部２０によって読み取られた画像情報等の各種情報を記憶する。
【００４６】
一方、画像読取制御部９４は上述した画像読取部２０と接続され、当該画像読取部２０による画像の読み取り動作を制御する。なお、本実施の形態に係る画像読取制御部９４は、ＣＰＵ９０から上記画像読取実行信号を受信すると、磁性領域検出部２８により磁性画像領域の検出を行い、撮像素子３０により画像の読み取りを実行するように画像読取部２０を制御する。
【００４７】
画像形成制御部９５は上述した画像形成部４０と接続され、当該画像形成部４０による画像の形成を制御する。なお、本実施の形態に係る画像形成制御部９５は、ＣＰＵ９０から送信される画像形成実行信号を受信すると、ＨＤＤ９３に記憶されている画像情報により示される画像の形成を実行するように静電現像部５０及びマグネト現像部７０を制御する。
【００４８】
更に、操作部９６は、ユーザによる原稿１２の読み取り或いは複写の指示等の各種指示の入力を受け付ける。また、本実施の形態に係る操作部９６は、特色による画像の形成を実行させる場合、予め特色として用いる色が金色及び銀色の何れであるかを選択する選択指示を受け付ける。
【００４９】
次に、図３を参照して、本実施の形態に係る画像形成装置１０の作用を説明する。なお、図３は、原稿１２が手差しトレイ２２に挿入され、原稿１２に形成されている画像の複写の実行指示が操作部９６を介して入力された場合に、ＣＰＵ９０によって実行される画像処理プログラムの流れを示すフローチャートであり、当該プログラムはＲＯＭ９１の所定領域に予め記憶されている。
【００５０】
まず、ステップ１００では、画像読取制御部９４へ画像読取実行信号を送信する。
【００５１】
画像読取制御部９４は、画像読取実行信号を受信すると、磁性領域検出部２８が配置されている位置に原稿１２を搬送したタイミングで、磁性領域検出部２８に磁性画像領域の検出を実行させ、撮像素子３０が配置されている位置に原稿１２を搬送したタイミングで、撮像素子３０に画像の読み取りを実行させる。
【００５２】
次のステップ１０２では、所定情報が取得されるまで待ちの状態となり、磁性画像領域の検出結果及び原稿１２に形成されている画像を示す画像情報が画像読取制御部９４で取得されるとステップ１０４へ移行する。
【００５３】
次のステップ１０４では、磁性領域検出部２８によって検出された磁性画像領域に基づいて、撮像素子３０によって取得された画像情報から原色による画像を示す原色画像情報を抽出する抽出処理を実行する。
【００５４】
本実施の形態に係る抽出処理は、撮像素子３０によって取得された画像情報における磁性画像領域に対応する画像情報を除く画像情報を原色画像情報として抽出する。
【００５５】
ここで、図４を参照して、本実施の形態に係る抽出処理の詳細を説明する。
【００５６】
なお、図４に示される原稿１２に形成されている画像１４は、一例であり、「あいう」の文字は磁性トナーを用いて特色である金色による画像として形成されると共に「ＡＢＣ」、「ＸＹＺ」の文字、及び木の画像は非磁性トナーを用いて原色による画像として形成される。そのため、「あいう」の文字の形状は磁性領域検出部２８によって磁性画像領域として検出され、画像１４を示す画像情報は撮像素子３０によって取得される。
【００５７】
本実施の形態に係る抽出処理では、図４に示される原稿１２に形成されている画像１４を示す画像情報に対して、磁性画像領域として検出した「あいう」の形状にマスク処理を行うことで、「ＡＢＣ」、「ＸＹＺ」の文字、及び木の画像を示す画像情報を原色画像情報として抽出する。
【００５８】
次のステップ１０６では、ＨＤＤ９３に上記画像情報及び上記原色画像情報を示す情報を記憶させる。なお、本実施の形態では、上記画像情報及び上記原色画像情報をＨＤＤ９３に記憶させるが、これに限らず、ＲＡＭ９２に記憶させてもよい。
【００５９】
次のステップ１０８では、画像形成制御部９５へ画像形成実行信号を送信する。
【００６０】
次のステップ１１０では、ＨＤＤ９３に記憶させた画像情報及び原色画像情報を画像形成制御部９５へ送信し、本画像処理プログラムを終了する。なお、画像形成制御部９５は画像形成実行信号、画像情報及び原色画像情報を受信すると、記録用紙４２に対して、原色画像情報により示される画像を静電現像部５０によって形成し、撮像素子３０によって取得された画像情報における上記抽出処理によって抽出された原色画像情報を除く画像情報により示される画像をマグネト現像部７０によって形成する、画像形成処理を実行する。これにより、図４において、原色画像情報で示される「ＡＢＣ」、「ＸＹＺ」の文字、及び木の画像を示す画像が静電現像部５０によって非磁性トナーを用いて原色で形成され、「あいう」の文字がマグネト現像部７０によって、操作部９６を介して予め選択されている金色の磁性トナーを用いて形成される。
【００６１】
なお、本実施の形態に係る原稿１２には、磁性トナーを用いて特色による画像が形成されると共に、非磁性トナーを用いて原色による画像が形成されている場合について説明したが、これに限らず、原稿１２には、非磁性トナーを用いて特色による画像が形成されると共に、磁性トナーを用いて原色による画像が形成されているとしてもよい。
【００６２】
［第２の実施の形態］
本第２の実施の形態では、非磁性トナーを用いた特色による画像を静電現像方式により記録用紙に形成し、磁性トナーを用いた原色による画像をマグネト現像方式により記録用紙に形成する場合の形態例について説明する。
【００６３】
まず、図５を参照して、本第２の実施の形態に係る画像形成装置１０’の構成を説明する。なお、図５における図１と同一の構成部分については図１と同一の符号を付して、その説明を省略する。
【００６４】
本第２の実施の形態に係る原稿１２’には、磁性トナーを用いて原色による画像が形成されると共に、非磁性トナー用いて特色による画像が形成されている。
【００６５】
本第２の実施の形態に係る画像形成部４０’は、静電現像方式で特色による画像を記録用紙４２に形成する静電現像部５０’、及びマグネト現像方式で原色による画像を記録用紙４２に形成するマグネト現像部７０’を含んで構成されている。
【００６６】
本第２の実施の形態に係るマグネト現像部７０’は、Ｙ、Ｍ、Ｃ、Ｋ毎に、磁気ドラム７２Ｙ、７２Ｍ、７２Ｃ、７２Ｋ、磁気ヘッド７４Ｙ、７４Ｍ、７４Ｃ、７４Ｋ、現像器７６Ｙ、７６Ｍ、７６Ｃ、７６Ｋ、及び消磁装置８０Ｙ、８０Ｍ、８０Ｃ、８０Ｋを含んで構成される。なお、以下の説明において、Ｙ、Ｍ、Ｃ、Ｋを区別する場合は、符号の後にＹ、Ｍ、Ｃ、Ｋのいずれかを付して説明し、Ｙ、Ｍ、Ｃ、Ｋを区別しない場合は、Ｙ、Ｍ、Ｃ、Ｋを省略する。
【００６７】
一方、本第２の実施の形態に係る静電現像部５０’は、マグネト現像部７０’が配置されている位置よりも記録用紙４２の搬送方向下流側に配置されており、Ｇ、Ｓ毎に、感光体ドラム５２Ｇ、５２Ｓ、帯電ロール５４Ｇ、５４Ｓ、光走査装置５６Ｇ、５６Ｓ、及び現像器５８Ｇ、５８Ｓを含んで構成される。なお、以下の説明において、Ｇ、Ｓを区別する場合は、符号の後にＧ、Ｓのいずれかを付して説明し、Ｇ、Ｓを区別しない場合は、Ｇ、Ｓを省略する。
【００６８】
次に、図６を参照して、本第２の実施の形態に係る画像形成装置１０’の作用を説明する。なお、図６は、原稿１２’が手差しトレイ２２に挿入され、原稿１２に形成されている画像の複写の実行指示が操作部９６を介して入力された場合に、ＣＰＵ９０によって実行される画像処理プログラムの流れを示すフローチャートであり、当該プログラムはＲＯＭ９１の所定領域に予め記憶されている。なお、第１の実施の形態に係る図３のフローチャートと同一のステップについては同一の符号を付して説明を省略する。
【００６９】
ステップ１０２で、磁性画像領域の検出結果及び原稿１２に形成されている画像を示す画像情報が取得されると、次のステップ１０４’で抽出処理を実行する。
【００７０】
本第２の実施の形態に係る抽出処理は、撮像素子３０によって取得された画像情報における磁性画像領域に対応する画像情報を原色画像情報として抽出する。
【００７１】
ここで、図７を参照して、本実施の形態に係る抽出処理の詳細を説明する。
【００７２】
なお、図７に示される原稿１２’に形成されている画像１４’は、一例であり、「あいう」の文字は非磁性トナーを用いて特色である金色による画像として形成されると共に、「ＡＢＣ」、「ＸＹＺ」の文字、及び木の画像は磁性トナーを用いて原色による画像として形成される。そのため、「ＡＢＣ」、「ＸＹＺ」の文字、及び木の画像の形状は磁性領域検出部２８によって磁性画像領域として検出され、画像１４’を示す画像情報は撮像素子３０によって取得される。
【００７３】
本実施の形態に係る抽出処理では、図７に示される原稿１２’に形成されている画像１４’を示す画像情報から、磁性画像領域として検出した「ＡＢＣ」、「ＸＹＺ」の文字、及び木の画像に対応する画像情報を原色画像情報として抽出する。
【００７４】
次のステップ１０６では、ＨＤＤ９３に上記画像情報及び上記原色画像情報を示す情報を記憶させる。
【００７５】
次のステップ１０８では、画像形成制御部９５へ画像形成実行信号を送信し、次のステップ１１０では、ＨＤＤ９３に記憶させた画像情報及び原色画像情報を画像形成制御部９５へ送信し、本画像処理プログラムを終了する。なお、画像形成制御部９５は画像形成実行信号、画像情報及び原色画像情報を受信すると、記録用紙４２に対して、原色画像情報により示される画像をマグネト現像部７０’によって形成し、撮像素子３０によって取得された画像情報における原色画像情報を除く画像情報により示される画像を静電現像部５０’によって形成する画像形成処理を実行する。すなわち、図７において、原色画像情報で示される「ＡＢＣ」、「ＸＹＺ」の文字、及び木の画像を示す画像がマグネト現像部７０’によって磁性トナーを用いて原色で形成され、画像情報を原色画像情報でマスク処理することで、マスク処理の対象となっていない「あいう」の文字が静電現像部５０’によって、操作部９６を介して予め選択されている金色の非磁性トナーを用いて形成される。
【００７６】
なお、本第２の実施の形態に係る原稿１２’には、非磁性トナーを用いて特色による画像が形成されると共に、磁性トナーを用いて原色による画像が形成されている場合について説明したが、これに限らず、原稿１２’には、磁性トナーを用いて特色による画像が形成されると共に、非磁性トナーを用いて原色による画像が形成されているとしてもよい。
【００７７】
以上、本発明を上記各実施の形態を用いて説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【００７８】
また、上記各実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記各実施の形態に示される全構成要件から幾つかの構成要件が削除されても、効果が得られる限りにおいて、この幾つかの構成要件が削除された構成が発明として抽出され得る。
【００７９】
例えば、上記各実施の形態では、画像形成部４０、４０’によって現像できる特色を金色及び銀色とする場合について説明したが、本発明はこれに限定されるものではなく、例えば、他の金属色や蛍光色等とする形態、特色を３色以上とする形態としてもよい。
【００８０】
また、上記各実施の形態では、画像形成部４０、４０’による画像の形成を静電現像方式及びマグネト現像方式による画像形成方式で実行する場合について説明したが、本発明はこれに限定されるものではなく、静電現像方式による画像形成方式の替わりに、インクジェットやその他の画像形成方式により画像の形成を実行する形態としてもよい。
【００８１】
また、上記各実施の形態では、特色による画像を形成する画像形成方式と原色による画像を形成する画像形成方式とを異なる画像形成方式とする場合について説明したが、本発明はこれに限定されるものではなく、特色による画像を形成する画像形成方式と原色による画像を形成する画像形成方式とを同じ画像形成方式としてもよい。
【００８２】
その他、上記各実施の形態で説明した画像形成部４０、４０’の構成（図１、図２及び図５参照。）は一例であり、本発明の主旨を逸脱しない範囲内において不要な部分を削除したり、新たな部分を追加したりすることができることは言うまでもない。
【００８３】
また、上記各実施の形態で説明した画像処理プログラムの処理の流れ（図３及び図６参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００８４】
【図１】第１の実施の形態に係る画像形成装置の構成を示す破断側面図である。
【図２】第１の実施の形態に係る画像形成装置の電気系の要部構成を示すブロック図である。
【図３】第１の実施の形態に係る画像処理プログラムの処理の流れを示すフローチャートである。
【図４】第１の実施の形態に係る抽出処理の説明に供する模式図である。
【図５】第２の実施の形態に係る画像形成装置の構成を示す破断側面図である。
【図６】第２の実施の形態に係る画像処理プログラムの処理の流れを示すフローチャートである。
【図７】第２の実施の形態に係る抽出処理の説明に供する模式図である。
【符号の説明】
【００８５】
１０、１０’    画像形成装置
１２    原稿（記録媒体）
２０    画像読取部
２８    磁性領域検出部（検出手段）
３０    撮像素子（取得手段）
４２    記録用紙（第２の記録媒体）
５０    静電現像部（第２の画像形成手段）
５０’  静電現像部（第１の画像形成手段）
７０    マグネト現像部（第１の画像形成手段）
７０’  マグネト現像部（第２の画像形成手段）
９０    ＣＰＵ（抽出手段、制御手段）
【図１】
2009200780.tif 000003
【図２】
2009200780.tif 000004
【図３】
2009200780.tif 000005
【図４】
2009200780.tif 000006
【図５】
2009200780.tif 000007
【図６】
2009200780.tif 000008
【図７】
2009200780.tif 000009